(57)【要約】【課題】住宅の軒先の改修時に既設の軒樋と簡単に接続することができる軒樋継手を提供することを目的とする。【解決手段】軒樋の端部を相互に接続する軒樋継手であって、一方の軒樋１０の端部を接続する接続部１Ａは、軒樋１０の外側を押さえる外継手３の内周面に沿って、軒樋１０の端部を挿入する軒樋端部挿入溝６が形成されており、他方の軒樋２０の端部を接続する接続部２Ａは、外継手３の上縁端部に他方の軒樋２０の耳部２２を保持する耳係止部７が一体に形成されている。【選択図】      図１
2004211524.tif 000002
【特許請求の範囲】
【請求項１】
軒樋の端部を相互に接続する軒樋継手であって、一方の軒樋の端部を接続する接続部は、軒樋の外側を押さえる外継手の内周面に沿って、軒樋の端部を挿入する軒樋端部挿入溝が形成されており、他方の軒樋の端部を接続する接続部は、外継手の上縁端部に他方の軒樋の耳部を保持する耳係止部が一体に形成されていることを特徴とする軒樋継手。
【請求項２】
一方の軒樋の端部を接続する接続部は、外継手の上縁端部に一方の軒樋の耳部を保持する耳係止部が一体に形成されていることを特徴とする請求項１記載の軒樋継手。
【発明の詳細な説明】
【０００１】
【発明の属する技術分野】
本発明は、軒樋の端部を相互に接続する軒樋継手に関する。
【０００２】
【従来の技術】
従来から、内継手と外継手とを相互に間隔を開けて結合してその両端部に側方に開口した軒樋端部挿入溝を形成してなる軒樋継手は知られている。
このような従来の軒樋継手は、屋根の軒先において、両側の軒樋端部挿入溝に各々側方から軒樋の端部が挿入嵌合され、両軒樋の端部が相互に接続されるものである。（例えば、特許文献１参照。）。
【０００３】
【特許文献１】
実公平５─２３６９５号公報（第１図）
【０００４】
【発明が解決しようとする課題】
ところで、住宅の軒先の改修時に施工済の軒樋の一部を補修したりすることがある。このとき、既に施工されている軒樋と新規の軒樋と接続するときに、新規な改修部材として同一規格の軒樋や部品の在庫が無い場合は、既設の軒樋と略同じか、または異なる断面形状を有する新規の軒樋を接続することがある。
【０００５】
しかしながら、軒樋本体が規格に類似した寸法、形状であっても、耳部の形状、寸法が異なったりすると、既設の軒樋と軒樋継手を介して接続することができなかった。
【０００６】
特に、一方が半円形状の半丸型軒樋で、他方が角溝形状の角型軒樋であるような軒樋同志の形状が異なる場合は、全く接続することができなかった。
【０００７】
本発明は、このような事情に鑑みて、住宅の軒先の改修時に既設の軒樋と簡単に接続することができる軒樋継手を提供することを目的としている。
【０００８】
【課題を解決するための手段】
このような目的を達成するために、請求項１に記載の発明に係わる軒樋継手（以下、「請求項１の軒樋継手」と記す）は、軒樋の端部を相互に接続する軒樋継手であって、一方の軒樋の端部を接続する接続部は、軒樋の外側を押さえる外継手の内周面に沿って、軒樋の端部を挿入する軒樋端部挿入溝が形成されており、他方の軒樋の端部を接続する接続部は、外継手の上縁端部に他方の軒樋の耳部を保持する耳係止部が一体に形成されていることを特徴とした。
【０００９】
請求項２に記載の発明に係わる軒樋継手（以下、「請求項２の軒樋継手」と記す）は、請求項２の軒樋継手において、一方の軒樋の端部を接続する接続部は、外継手の上縁端部に一方の軒樋の耳部を保持する耳係止部が一体に形成されていることを特徴とした。
【００１０】
【発明の実施の形態】
次に、本発明の実施の形態の一例を、図１〜図２１に基づいて説明する。
【００１１】
図１〜図７は、本発明軒樋継手の実施の形態における第１実施例を説明する図である。
図において、図１は本発明軒樋継手の実施形態における第１実施例を示す斜視図、図２は同じく軒樋継手の側面図、図３は図２におけるＡ−Ａ線断面図、図４は図２におけるＢ−Ｂ線断面図、図５は本発明軒樋継手の第１実施例において使用される一方の軒樋を示す断面図、図６は本発明軒樋継手の第１実施例において使用される他方の軒樋を示す断面図、図７は本発明軒樋継手の第１実施例における接続使用状態を説明する分解斜視図である。
【００１２】
図１において、この軒樋継手Ａは、一方の軒樋が接続される接続部１Ａには、図５に示すような半円形状の樋本体１１の両側上縁端部に円弧状の耳部１２が形成された半丸型の軒樋１０が接続されるようになっており、他方の軒樋が接続される接続部２Ａには、図６に示すような半円形状の樋本体２１の両側上縁端部に略コ字型の耳部２２が外向きに突出して形成された半丸型の軒樋２０が接続されるようになっている。
【００１３】
一方の軒樋１０が接続される接続部１Ａは、半円形の樋状に屈曲して形成された外継手３と内継手４とが相互に間隔をあけて接合部５で結合され、その端部に側方へ開口した軒樋端部挿入溝６が形成されている。この軒樋端部挿入溝６において、外継手３の端部が内継手４の端部よりも側方に長く突出しており、外継手３の上縁端部が内継手４の上縁端部よりも上側方に突出している。
【００１４】
また、他方の軒樋２０が接続される接続部２Ａは、同じく半円形の樋状に屈曲して形成された外継手３と、外継手３の上縁端部に略コ字型の耳係止部７が一体に形成されている。
【００１５】
このような軒樋継手は、図７に示すようにして軒樋が接続される。
先ず、改修時に取り替えようとする既設の軒樋や軒樋継手を軒先から取り外して、残された既設の一方の半丸型の軒樋１０の一端を、軒樋継手Ａの一方の接続部１Ａの軒樋端部挿入溝６に、軒樋継手Ａを持って押し込んで嵌合させる。このとき、軒樋１０の耳部１２は軒樋継手Ａの両側上縁端部から外側にはみ出した状態で露出している。
続いて、新規の他方の半丸型の軒樋２０を持って、軒樋継手Ａの接続部２Ａ側に上方から嵌め込み、他方の接続部２Ａに設けられている耳係止部７に軒樋２０の耳部２２を嵌め込んで接続する。
【００１６】
このとき、軒樋２０の端部は耳係止部７内に嵌合するだけであり既設の軒樋１０が嵌合する軒樋端部挿入溝６には嵌め込む必要がないので、スムーズに挿入することができるから、新規な軒樋２０の端部を挿入嵌合させ易いものである。
【００１７】
図８〜図１３は本発明軒樋継手の実施形態における第２実施例をあらわしている。
図８は本発明軒樋継手の実施形態における第２実施例を示す斜視図、図９は同じく第２実施例の軒樋継手の側面図、図１０は図９におけるＣ−Ｃ線断面図、図１１は図９におけるＤ−Ｄ線断面図、図１２は本発明軒樋継手の第２実施例において使用される他方の軒樋を示す断面図、図１３は本発明軒樋継手の第２実施例における接続使用状態を示す分解斜視図である。
【００１８】
図８において、軒樋継手Ｂは、一方の軒樋が接続される接続部１Ｂには、図５に示すような半円形の樋本体１１の両側上縁端部に円弧状の耳部１２が形成された軒樋１０が接続されるようになっており、他方の軒樋が接続される接続部２Ｂには、図１２に示すような角溝形状の樋本体２１ｂの両側上縁端部に略ロ字型の耳部２２ｂが内向きに突出して形成された角型の軒樋２０ｂが接続されるようになっている。
【００１９】
一方の軒樋１０が接続される接続部１Ｂは、第１実施例と同じように半円形の樋状に屈曲して形成された半円状の外継手３１と内継手４とが相互に間隔をあけて接合部５で結合され、その端部に側方へ開口した軒樋端部挿入溝６が形成されており、また、他方の軒樋２０が接続される接続部２Ｂは、同じく角樋溝状に屈曲して形成された角型状の外継手３２が形成され、この角型状の外継手３２の両側上縁端部に略コ字型の耳係止部７ａが一体に形成されている。このように軒樋継手Ｂの外継手３０は、一方の接続部１Ｂの半円状の外継手３１と他方の接続部２Ｂの角型状の外継手３２とから構成されており、断面形状が半円形の樋形状から角溝形の樋形状に中央部で連続して移行しており、角型状の外継手３２の両側上縁端部は半円状の外継手３１の両側上縁端部より高く形成されている。
【００２０】
このような軒樋継手Ｂは、図１３に示すようにして軒樋が接続される。
先ず、改修時に取り替えようとする既設の軒樋や軒樋継手を軒先から取り外して、残された既設の一方の半丸型の軒樋１０の一端を、一方の接続部１Ｂの軒樋端部挿入溝６に、軒樋継手Ｂを持って押し込んで嵌合させる。このとき、軒樋１０の耳部１２は一方の接続部１Ｂの外継手３１の両側上縁端部からはみ出した状態で露出している。
続いて、新規の他方の角型の軒樋２０ｂを持って、他方の接続部２Ｂ側に右側方から挿入し、接続部２Ｂの角型状の外継手３２内に軒樋２０ｂの樋本体２１ｂを嵌め込むと共に、軒樋継手Ｂの耳係止部７ａに軒樋２０ｂの耳部２２ｂを嵌め込んで接続する。
【００２１】
このとき、軒樋２０ｂの端部は耳係止部７ａ内に嵌合するだけであり既設の軒樋１０が嵌合する軒樋端部挿入溝６に嵌め込む必要がないので、スムーズに挿入して接続することができる。
【００２２】
図１４〜図２１は、本発明軒樋継手の実施の形態における第３実施例を説明する図である。
図において、図１４は本発明軒樋継手の実施形態における第３実施例を示す斜視図、図１５は同じく軒樋継手の破断側面図、図１６は図１５におけるＥ−Ｅ線断面図、図１７は図１５におけるＦ−Ｆ線断面図、図１８は本発明の第３実施例において使用される一方の軒樋を示す断面図、図１９は本発明の第３実施例において使用される他方の軒樋を示す断面図、図２０は本発明の第３実施例における接続使用状態を説明する分解斜視図、図２１は本発明の第３実施例における接続した状態を説明する断面図である。
【００２３】
図１４において、この軒樋継手Ｃは、一方の軒樋が接続される接続部１Ｃには、図１８に示すような半円形状の樋本体１１ｃの両側上縁端部に半円形の耳部１２が外向きに突出して形成された半丸型の軒樋１０ｃが接続されるようになっている。他方の軒樋が接続される接続部２Ｃには、図１９に示すような半円形状の樋本体２１ｃの両側上縁端部に円形の耳部２２ｃが外向きに突出して形成された半丸型の軒樋２０ｃが接続されるようになっている。
【００２４】
一方の軒樋１０ｃが接続される接続部１Ｃは、半円形の樋状に屈曲して形成された外継手３ｃと爪状の軒樋係止片４ｃとが相互に間隔をあけて接合部５ｃで結合され、その端部に側方へ開口した軒樋端部挿入溝６ｃが形成されている。この軒樋端部挿入溝６ｃにおいて、外継手３ｃの端部が軒樋係止片４ｃの端部よりも側方に長く突出している。そして、外継手３ｃの両上縁端部に断面Ｃ字状の耳係止部７ｂが一体に形成されており、この耳係止部７ｂの係合部は、接続しようとする軒樋１０ｃの規格に近似した形状寸法とされているが、余裕をもって大きめの形状寸法とされている。
【００２５】
また、他方の軒樋２０ｃが接続される接続部２Ｃは、前記接続部１Ｃと同じ形状寸法の外継手３ｃと、この外継手３ｃの両上縁端部に断面円弧状の耳係止部７ｃが一体に形成されている。この耳係止部７ｃの係合部は、軒樋２０ｃの耳部２２ｃを係合する大きさの形状寸法とされており、上述の耳係止部７ｂよりも小さめの寸法とされている。そのため、耳係止部７ｃの上面に突起７１を上方に突出して設け、図１５に示すように、切り欠き部７２で分離された耳係止部７ｂと７ｃとを同じ高さに揃えることによって、軒樋継手Ｃを側面から見たときに接続部１Ｃと２Ｃとの高さを等しくして見栄えをよくしている。
【００２６】
このような軒樋継手Ｃは、図２０に示すようにして軒樋が接続される。
先ず、改修時に取り替えようとする既設の軒樋や軒樋継手を軒先から取り外して、残された既設の一方の半丸型の軒樋１０ｃの一端を、軒樋継手Ｃを持って一方の接続部１Ｃに押し込む。
【００２７】
このとき、軒樋端部挿入溝６ｃに軒樋１０ｃの一端が挿入されるとともに、接続部１Ｃに設けられている耳係止部７ｂに軒樋１０ｃの耳部１２ｃが嵌め込まれ係合されることになる。
【００２８】
続いて、新規の他方の半丸型の軒樋２０ｃを持って、軒樋継手Ｃの接続部２Ｃ側に上方から嵌め込み、他方の接続部２Ｃに設けられている耳係止部７ｃに軒樋２０ｃの耳部２２ｃを嵌め込んで接続する。
【００２９】
このように、既設の軒樋１０ｃと新規の軒樋２０ｃとを軒樋継手Ｃで接続することにより、新規な軒樋２０ｃの耳部２２ｃが僅か小さめであっても、接続部１Ｃ側と接続部２Ｃ側とに段差が生じることがなく、外観が見栄えよく接続することができる。
【００３０】
また、一方の接続部１Ｃに設けられている耳係止部７ｂの嵌合部の寸法と軒樋端部挿入溝６ｃの隙間をそれぞれ余裕を持たせることにより、既設の軒樋１０ｃに規格寸法にバラツキがあっても適用可能である。例えば、図２１に示すように、軒樋１０ｃの耳部１２ｃが大きめで、軒樋本体１１ｃの厚みが小さめである場合、軒樋継手Ｃは、軒樋１０ｃは軒樋継手Ｃの耳係止部７ｂで規制されることになり、接続するときに周方向に回動しないから取付け作業が楽になる。
【００３１】
以上、本発明の実施の形態を図面により詳述してきたが、具体的な形態はこの実施の形態に限られものではなく、本発明の要旨を逸脱しない範囲における設計の変更等があっても本発明に含まれる。
【００３２】
例えば、改修時に取り替えようとする既設の軒樋が半円形の半丸型軒樋の場合であって、軒樋継手の外継手を半円形の樋状に屈曲して形状としたが、既設の軒樋が角溝形状の角型軒樋の場合には、軒樋継手の外継手を角溝形の樋形状としてもよい。
【００３３】
【発明の効果】
上述の通りであるので、本発明によれば、一方の軒樋の端部を接続する接続部は、軒樋の外側を押さえる外継手の内周面に沿って、軒樋の端部を挿入する軒樋端部挿入溝が形成されており、他方の軒樋の端部を接続する接続部は、外継手の上縁端部に他方の軒樋の耳部を保持する耳係止部が一体に形成されているので、住宅の軒先の改修時に既設の軒樋と簡単に接続することができる。
【図面の簡単な説明】
【図１】本発明軒樋継手の実施形態における第１実施例を示す斜視図である。
【図２】同上軒樋継手の側面図である。
【図３】図２におけるＡ−Ａ線断面図である。
【図４】図２におけるＢ−Ｂ線断面図である。
【図５】本発明軒樋継手の第１実施例に使用される一方の軒樋を示す断面図である。
【図６】本発明軒樋継手の第１実施例に使用される他方の軒樋を示す断面図である。
【図７】本発明軒樋継手の実施形態における第１実施例の接続使用状態を説明する斜視図である。
【図８】本発明軒樋継手の実施形態における第２実施例を示す斜視図である。
【図９】同上軒樋継手の側面図である。
【図１０】図９におけるＣ−Ｃ線断面図である。
【図１１】図９におけるＤ−Ｄ線断面図である。
【図１２】本発明軒樋継手の第２実施例に使用される他方の軒樋を示す断面図である。
【図１３】本発明軒樋継手の実施形態における第２実施例の接続使用状態を説明する斜視図である。
【図１４】本発明軒樋継手の実施形態における第３実施例を示す斜視図である。
【図１５】同上軒樋継手の破断側面図である。
【図１６】図２におけるＡ−Ａ線断面図である。
【図１７】図２におけるＢ−Ｂ線断面図である。
【図１８】本発明軒樋継手の第３実施例に使用される一方の軒樋を示す断面図である。
【図１９】本発明軒樋継手の第３実施例に使用される他方の軒樋を示す断面図である。
【図２０】本発明軒樋継手の実施形態における第３実施例の接続使用状態を説明する斜視図である。
【図２１】本発明軒樋継手の実施形態における第３実施例の接続した状態を説明する断面図である。
【符号の説明】
Ａ、Ｂ、Ｃ      軒樋継手
１Ａ、１Ｂ、１Ｃ    一方の接続部
２Ａ、２Ｂ、２Ｃ    他方の接続部
３、３０      外継手
４、４ｃ      内継手（軒樋係止片）
６、６ｃ      軒樋端部挿入溝
７、７ａ    耳係止部
１０、１０ｃ    一方の軒樋
２０、２０ｂ、２０ｃ    他方の軒樋
【図１】
2004211524.tif 000003
【図２】
2004211524.tif 000004
【図３】
2004211524.tif 000005
【図４】
2004211524.tif 000006
【図５】
2004211524.tif 000007
【図６】
2004211524.tif 000008
【図７】
2004211524.tif 000009
【図８】
2004211524.tif 000010
【図９】
2004211524.tif 000011
【図１０】
2004211524.tif 000012
【図１１】
2004211524.tif 000013
【図１２】
2004211524.tif 000014
【図１３】
2004211524.tif 000015
【図１４】
2004211524.tif 000016
【図１５】
2004211524.tif 000017
【図１６】
2004211524.tif 000018
【図１７】
2004211524.tif 000019
【図１８】
2004211524.tif 000020
【図１９】
2004211524.tif 000021
【図２０】
2004211524.tif 000022
【図２１】
2004211524.tif 000023